(57)【要約】【課題】重心の位置が異なっても、常に重心の近傍を持つことができる把手を提供すること。【解決手段】湯沸かし器本体１に着脱自在に貯水タンク２を併設する構成において、湯沸かし器本体１に取り付けた把手３は電気湯沸かし器を持ち上げると水平となる部分Ｃを有し、この水平となる部分Ｃは貯水タンク２を装着した場合の重心の位置と、貯水タンク２を装着しない場合の重心の位置に対応した範囲に形成した。これにより、把手３の重心に対応する位置が水平となる部分Ｃにあるので、持ち直すなどすることにより容易に重心に対応する位置を持つことができ、運びやすくする事ができる。【選択図】　図１
2004121357.tif 000002
【特許請求の範囲】
【請求項１】
把手を有する湯沸かし器本体と、前記湯沸かし器本体に設けた水を収容し加熱する湯沸かし容器と、前記湯沸かし器本体の側面に前記湯沸かし器本体と着脱自在に設けた水を貯水する貯水タンクと、前記貯水タンクの水を前記湯沸かし容器に給水する給水路とを備え、前記把手はそれをもって器体を持ち上げる際に把手が器体の載置面に対して水平となる部分を有する構成とした電気湯沸かし器。
【請求項２】
把手の水平となる部分は貯水タンクに水を充満した場合の重心の位置と、前記貯水タンクを空にした場合の重心の位置とに対応した範囲に形成した請求項１記載の電気湯沸かし器。
【請求項３】
把手の水平となる部分は器体の重心の移動する範囲以内に対応して設ける構成とした請求項１記載の電気湯沸かし器。
【請求項４】
把手は湯沸かし器本体の中心と貯水タンクの中心を結ぶ線に平行になるように前記湯沸かし器本体に取り付ける構成とした請求項１ないし３のいずれか１項に記載の電気湯沸かし器。
【請求項５】
把手を有する本体と、前記本体に設けた水を収容し加熱する湯沸かし容器と、前記本体の側面に前記本体と着脱自在に設けた水を貯水する貯水タンクと、前記貯水タンクの水を前記湯沸かし容器に給水する給水路とを備え、前記貯水タンクを前記本体に装着したときに、前記貯水タンクと前記本体間との間に所定の間隔の隙間を形成し、前記隙間に前記把手を回動可能に収容する構成とした電気湯沸かし器。
【発明の詳細な説明】
【０００１】
【発明の属する技術分野】
本発明は一般家庭で使用される電気湯沸かし器に関し、特に湯沸し器に設けた把手に関する。
【０００２】
【従来の技術】
従来、この種の電気湯沸かし器としては湯沸かし容器の上部に貯水タンクを設け、出湯により湯沸かし容器内の水が減少すると、貯水タンクの水を適宜湯沸かし容器に給水し、貯水タンクの水は湯沸かし容器から分離し、貯水タンク単体で水道の蛇口まで給水するもので、加熱は必要量だけ加熱すればよく電気の無駄を省くことができるとともに、貯水タンクへの給水は貯水タンクだけを持ち運べばよいので手軽に給水できるというものであった（例えば特許文献１参照）。
【０００３】
【特許文献１】
特開平１１−２９０１８６号公報
【０００４】
【発明が解決しようとする課題】
しかしながら、前記従来の構成では、湯沸かし容器の上部に貯水タンクがあるので、貯水タンクを満水に貯水すると重心の位置が高くなり不安定になりやすい。また、高さの低いこの種の電気湯沸かし器に対する要望もあった。そこで、貯水タンクを湯沸かし容器の側面に併設する事が考えられた。
【０００５】
しかし、この場合、電気湯沸かし器を他の場所に運ぶとき湯沸かし容器を内蔵した湯沸かし器本体に設けた把手を持って運ぶので、湯沸かし容器に有る水の量と貯水タンクにある水の量との比で重心の位置が異なる。そのため、従来のような外形が大きくならないように電気湯沸かし器の外形に沿った半円形またはそれに類似した形状の把手では取り扱いが不便であった。すなわち、従来の形状の把手では電気湯沸かし器の重心がほぼ中央部にあり、半円形またはそれに類似した形状の把手の中央部の１番高さが高い部分が重心に対応する部分であるため、移動に当たってはこの中央部を持て運べばバランスよく運ぶ事が出来た。
【０００６】
しかるに、湯沸かし器本体に貯水タンクを併設した場合、常に重心の位置が変わるため従来のような形状の把手では、その中央部を持ったとしても重心を持ったことにならないため、バランスが悪く持ち運びがしにくいという問題があった。
【０００７】
本発明は、前記従来の課題を解決するもので、重心の位置が異なっても、常に重心の近傍を持つことができるようにした電気湯沸かし器を提供することを目的とする。
【０００８】
【課題を解決するための手段】
前記従来の課題を解決するために、本発明の電気湯沸かし器は湯沸かし器本体に着脱自在に貯水タンクを併設する構成において、湯沸かし器本体に取り付けた把手は器体を持ち上げる際に、電気湯沸かし器の上面に水平となる部分を設けた。これにより、重心の位置が水平となる部分にあるので、持ち直すなどすることにより容易に重心に対応する位置を持つことができる。
【０００９】
【発明の実施の形態】
請求項１に記載の発明は、把手を有する湯沸かし器本体と、前記湯沸かし器本体に設けた水を収容し加熱する湯沸かし容器と、前記湯沸かし器本体の側面に前記湯沸かし器本体と着脱自在に設けた水を貯水する貯水タンクと、前記貯水タンクの水を前記湯沸かし容器に給水する給水路とを備え、前記把手はそれをもって器体を持ち上げる際に把手が器体の載置面に対して水平となる部分を有する構成とした。これにより、重心の位置が略水平となる部分にあるので、持ち直すなどすることにより容易に重心に対応する位置を持つことができる。したがって、電気湯沸かし器を安定した状態で持ち運びすることができる。
【００１０】
請求項２に記載の発明は、特に、請求項１に記載の把手の水平となる部分の範囲を貯水タンクに水を充満した場合の重心の位置と、前記貯水タンクを空にした場合の重心の位置との間に形成した事により、重心の範囲がより明確になり重心に対応する位置を持ちやすくなる。
【００１１】
請求項３に記載の発明は、特に、請求項１に記載の把手の水平となる部分は器体の重心の移動する範囲以内に対応して設ける構成としたことにより、重心の範囲がより明確になり重心に対応する位置を持ちやすくなる。
【００１２】
請求項４に記載の発明は、特に、請求項１ないし３のいずれか１項に記載の把手を湯沸かし器本体の中心と貯水タンクの中心を結ぶ線に平行になるように前記湯沸かし器本体に取り付ける構成としたことにより、把手をまとまりよく設けることができる。
【００１３】
請求項５に記載の発明は、把手を有する本体と、前記本体に設けた水を収容し加熱する湯沸かし容器と、前記本体の側面に前記本体と着脱自在に設けた水を貯水する貯水タンクと、前記貯水タンクの水を前記湯沸かし容器に給水する給水路とを備え、前記貯水タンクを前記本体に装着したときに、前記貯水タンクと前記本体間との間に所定の間隔の隙間を形成し、前記隙間に前記把手を回動可能に収容する構成とした。この構成により、把手を使用後、把手を倒すと把手の一部は湯沸かし器本体と貯水タンクとの間の隙間に収納することができる。そのため、電気湯沸かし器の上面に突出することがなくなり外観がよくなるとともに、貯水タンクの着脱が容易となる。
【００１４】
【実施例】
以下、本発明の実施例について、図面を参照しながら説明する。
【００１５】
図１は本発明の一実施例における電気湯沸かし器の外観斜視図、図２は同電気湯沸かし器の断面図であり、構成を図示しやすいように貯水タンク部は横方向に、湯沸かし器本体は縦方向に断面し合成している。また、図３は同電気湯沸かし器の把手の側面図である。
【００１６】
図１に示すように、電気湯沸かし器は湯沸かし器本体１とこの湯沸かし器本体１に着脱自在に取り付ける貯水タンクとより構成している。そして、湯沸かし器本体１には本発明に関わる把手３が回動自在に設けられている。
【００１７】
図２において、４は湯沸かし容器で、収納した水を付設する加熱手段５で所定温度まで加熱し、保温する。６は出湯ポンプで必要に応じて湯沸かし容器４内のお湯を導水路７を介して出湯口８より外部に吐出する。９は水位センサで湯沸かし容器４内の水位を表示するとともに、湯沸かし容器４内の水位が所定の水位になると、制御部１０に信号を発し、貯水タンク２と湯沸かし容器４との間に設けた給水路１１より貯水タンク２に貯水された水を給水するようにする。１２は給水ポンプで湯沸かし容器４の水位が低下すると制御部１０からの信号により作動し、貯水タンク２の水を揚水路１３を経て給水路１１に注がれる。貯水タンク２の水の補給は貯水タンク２を湯沸かし器本体１から取り外し水道の蛇口などの水の供給源まで運びそこで水を補給した後、再び湯沸かし器本体１に装着する。
【００１８】
電気湯沸かし器を運ぶための把手３は、貯水タンク２を取り外し可能な構成にしているので、湯沸かし器本体２に取り付けられることになる。このため把手３の中央部が重心の中心とはならない。すなわち、貯水タンク２の水が満水状態にあるとき、または水がないとき、あるいは湯沸かし容器４のお湯の量で電気湯沸かし器の重心の位置は左右に変動する。
【００１９】
また、湯沸かし容器４と貯水タンク２との水量差によっても重心は変動する。したがって、把手３の重心に対応する位置も変動する。このため、従来のように円形またはそれに類似した形状では手で持つ位置が一定であるために必ずしも重心に対応した位置を持つことにならず持ち運びが不便になる。本実施例では重心の位置により把手３の持つ位置を容易に変えることができ、持ち運びを容易にした事を特徴としている。
【００２０】
以下、本実施例の把手について説明する。
【００２１】
図３において、把手３はＡ、Ｂ、Ｃの３つの部分より構成している。Ａの部分は電気湯沸かし器の重心と全く対応していない部分である。そのため、この部分は持つのに不適当の部分であるため、器体の外形をできるだけ小さくするために湯沸かし器本体１の外周に沿った形状としている。Ｂの部分は本実施例の特徴とする部分で、この部分を持って電気湯沸かし器を持ち上げたとき器体の載置面に対して水平になる部分である。勿論、ここでいう水平とは実質的に水平の場合も含むもので本実施例の意図にかなう状態で有ればよい。この水平部分であるＢの部分の左端、すなわちＡの部分に隣接する部分は貯水タンク２が空の状態で器体の重心が１番左側にくる位置にほぼ対応する。
【００２２】
また、Ｂの部分の右端、すなわちＣの部分に隣接する部分は貯水タンク２が満水の状態で湯沸かし容器４に水がない状態で器体の重心が１番右端にくる位置に対応する。以上述べたように、この水平の部分は器体の重心の移動する範囲、またはその範囲内に対応する部分に相当する。勿論この水平部分の範囲はそれほど厳格なものではない。Ｃの部分は器体の重心と対応しない部分で後述するように収納しやすい形状としている。
【００２３】
上述の形状とすることで貯水タンク２および湯沸かし容器４に水が収納されている量により器体の重心はＢの部分の端から端まで移動する。したがって、器体を運ぶとき重心の位置がそのときそのときで異なっていても、持つ場所を調節する事で容易に重心に対応する位置を持つことができ、器体を運ぶとき重心から外れるために器体が傾いたりする事なく運びやすくなる。
【００２４】
本実施例は貯水タンク２や湯沸かし容器４の水量の差による重心の位置の変動を把手３を持つ位置を変えて重心に対応する位置を持つようにしたものである。したがって、把手３の取り付け方向は湯沸かし器本体１の中心と貯水タンク２の中心を結ぶ線に平行になるように湯沸かし器本体１に取り付けるのが好ましい。
【００２５】
次に把手３の収納について述べる。図１に示すように湯沸かし器本体１と貯水タンク２との間に隙間１４を設け把手３を倒したとき把手３が隙間１４に埋没するようにする。図１はこの状態を示したもので、点線は把手３を立てた場合を示している。したがって、Ｃの部分の形状はこの隙間１４に収納できる形状にする必要がある。
【００２６】
また、Ｃの部分の長さは把手３の取り付け位置から湯沸かし器本体１の外周を超える長さが必要となる。これにより把手３を倒したとき。把手３は隙間１４に埋没するとともに湯沸かし器本体１の外周に設置される状態となり、外形をほとんど大きくする事なく、かつ器体の上面に把手３による凸部を無くすことができる。
【００２７】
また、図１では矢印で示すように把手３の回動は片側、約９０°の場合を示しているが、隙間１４を湯沸かし器本体１と貯水タンク２との間全体に設けることにより１８０°回動するようにしても良い。図１の場合片方に出湯口があるため片側にだけ回動するようにしている。
【００２８】
以上、本実施例のようにすることにより把手をまとまりよく設けることができる。
【００２９】
【発明の効果】
以上のように、請求項１〜４に記載の発明によれば、貯水タンクの装着の有無あるいは貯水量にかかわらず、把手を持って運び易い電気湯沸かし器を提供することができる。
【図面の簡単な説明】
【図１】本発明の一実施例における電気湯沸かし器の外観斜視図
【図２】同電気湯沸かし器の断面図
【図３】同電気湯沸かし器の把手の側面図
【符号の説明】
１　湯沸かし器本体
２　貯水タンク
３　把手
４　湯沸かし容器
１１　給水路
１４　隙間
【図１】
2004121357.tif 000003
【図２】
2004121357.tif 000004
【図３】
2004121357.tif 000005